(57)【要約】【課題】シート材料を用いて形成された袋容器をスムーズに係止させて、美観を損なわせることなく容易に装着できる袋容器ホルダーを提供する。【解決手段】袋容器２０を装着して用いる袋容器ホルダー１０であって、載置部１１と、載置部１１から立設する立設部１２と、立設部１２の上端部から載置部１１の直上部分に張り出して設けられた、Ｕ字状切欠き部１４を備える張出し係止部１３とを含んで構成される。載置部１１からＵ字状切欠き部１４までの高さｈ1が、袋容器２０の下端から注出口部材２２の口部係止部２３までの高さｈ2と同様の高さとなっている。張出し係止部１３の下方の部分が、袋容器２０の着脱空間部１５となっている。載置部１１から立設して、下端部邪魔板部１６が設けられており、下端部邪魔板部１６の裏面側に、袋容器２０の下端部２０ａを装着させる下端部装着部１７が形成されている。【選択図】図１
2018047928.tif 000002
【特許請求の範囲】
【請求項１】
上端部に注出口部材が取り付けられた袋容器と組み合わせて用いる袋容器ホルダーであって、
載置面に載置される載置部と、該載置部の周縁部から縦方向に立設して設けられた立設部と、該立設部の上端部から前記載置部の直上部分に横方向に張り出して設けられた、前記袋容器の前記注出口部材が係止されるＵ字状切欠き部を備える張出し係止部とを含んで構成されており、
前記載置部から前記張出し係止部の前記Ｕ字状切欠き部までの高さが、前記袋容器の下端から前記注出口部材の口部係止部までの高さと同様の高さとなっていると共に、前記張出し係止部の下方領域における、前記Ｕ字状切欠き部の開放部側の部分が、前記袋容器を着脱させる着脱空間部となっており、
前記載置部における前記着脱空間部側の周縁部から立設して、下端部邪魔板部が設けられており、該下端部邪魔板部の裏面側に、前記袋容器の下端部を装着させる下端部装着部が形成されている袋容器ホルダー。
【請求項２】
前記載置部における、前記着脱空間部側の部分を除いた３方の周縁部から立設して、前記立設部が設けられており、前記下端部邪魔板部は、前記立設部の下端部分と環状に一体として連続して設けられており、これらの内側部分に前記下端部装着部が形成されている請求項１記載の袋容器ホルダー。
【請求項３】
前記載置部の底面は、開口面となっている請求項２記載の袋容器ホルダー。
【請求項４】
前記袋容器の袋本体は、天面シートを含んで形成されており、前記注出口部材は、前記天面シートによる天面部に取り付けられている請求項１〜３のいずれか１項記載の袋容器ホルダー。
【請求項５】
前記注出口部材に、ポンプディスペンサーが取り付けられている請求項１〜４のいずれか１項記載の袋容器ホルダー。
【請求項６】
空になった状態の前記袋容器の下端から前記注出口部材の口部係止部までの高さよりも、前記下端部邪魔板部の上端から前記張出し係止部の前記Ｕ字状切欠き部までの高さの方が小さくなるように、前記下端部邪魔板部が設けられている請求項１〜５のいずれか１項記載の袋容器ホルダー。
【発明の詳細な説明】
【技術分野】
【０００１】
本発明は、袋容器ホルダーに関し、特に、上端部に注出口部材が取り付けられた袋容器と組み合わせて用いる袋容器ホルダーに関する。
【背景技術】
【０００２】
例えばシャンプー液、リンス液、化粧液、薬液等の内容液を収容すると共に、好ましくは収容された内容液を吐出させる、ポンプディスペンサー等の吐出具を取り付けて使用される容器として、容器本体がプラスチック製やガラス製等の硬質の容器からなるものに代えて、樹脂製のシート材料を用いて形成された、袋状の容器本体（袋本体）を備える袋容器が知られている（例えば、特許文献１、特許文献２参照）、
【０００３】
袋容器の場合、袋本体は、軟質の柔らかいシート材料を用いて形成されており、例えばポンプディスペンサーを操作する際の押し下げ力を、袋本体によって支持させることができないことから、袋容器を、底板部と、底板部から立設して設けられた立設部と、立設部の上端部から張り出して設けられた張出し係止部とを備える容器ホルダーに装着して、この容器ホルダーによって押し下げ力を支持させるようにしたディスペンサーが開示されている（例えば、特許文献１参照）。また、ディスペンサーを備えていない袋容器においても、底板部と、立設部と、係止部とを備える容器ホルダーに装着して用いることで、軟質の柔らかい袋容器を、容器ホルダーを介して把持させることによって、袋容器の注出口から内容液を安定した状態で吐出できるようにした組立体も開示されている（例えば、特許文献２参照）。
【先行技術文献】
【特許文献】
【０００４】
【特許文献１】実用新案登録第３０６６８３１号公報
【特許文献２】特開２００４−６７１８３号公報
【発明の概要】
【発明が解決しようとする課題】
【０００５】
軟質の柔らかいシート材料を用いて形成された袋容器は、上述のように、容器ホルダーに装着して用いることにより、内容液を吐出させる際の安定性を向上させることが可能になる一方で、袋本体が柔らかくなっていることで、当該袋容器を容器ホルダーに装着させる際の形状が安定しないことから、袋容器の注出口部を容器ホルダーの係止部に係止する操作に手間が掛かると共に、袋本体を変形させたままの状態で容器ホルダーに袋容器を装着させ易くなって、袋容器の美観を損なう場合がある。
【０００６】
本発明は、軟質の柔らかいシート材料を用いて形成された袋容器を、袋本体の形状を安定させたまま、注出口部を係止部にスムーズに係止させるようにして、美観を損なわせることなく、容易に装着することのできる袋容器ホルダーを提供することを目的とする。
【課題を解決するための手段】
【０００７】
本発明は、上端部に注出口部材が取り付けられた袋容器と組み合わせて用いる袋容器ホルダーであって、載置面に載置される載置部と、該載置部の周縁部から縦方向に立設して設けられた立設部と、該立設部の上端部から前記載置部の直上部分に横方向に張り出して設けられた、前記袋容器の前記注出口部材が係止されるＵ字状切欠き部を備える張出し係止部とを含んで構成されており、前記載置部から前記張出し係止部の前記Ｕ字状切欠き部までの高さが、前記袋容器の下端から前記注出口部材の口部係止部までの高さと同様の高さとなっていると共に、前記張出し係止部の下方領域における、前記Ｕ字状切欠き部の開放部側の部分が、前記袋容器を着脱させる着脱空間部となっており、前記載置部における前記着脱空間部側の周縁部から立設して、下端部邪魔板部が設けられており、該下端部邪魔板部の裏面側に、前記袋容器の下端部を装着させる下端部装着部が形成されている袋容器ホルダーを提供することにより、上記目的を達成したものである。
【発明の効果】
【０００８】
本発明の袋容器ホルダーによれば、軟質の柔らかいシート材料を用いて形成された袋容器を、袋本体の形状を安定させたまま、注出口部を係止部にスムーズに係止させるようにして、美観を損なわせることなく、容易に装着することができる。
【図面の簡単な説明】
【０００９】
【図１】本発明の好ましい一実施形態に係る袋容器ホルダーに、袋容器を装着した状態の斜視図である。
【図２】本発明の好ましい一実施形態に係る袋容器ホルダーの斜視図である。
【図３】（ａ）は袋容器ホルダーの正面図、（ｂ）は袋容器の側面図である。
【図４】（ａ）は内用液が充填されている状態の袋容器の背面図、（ｂ）は内用液が吐出された後の袋容器の背面図である。
【図５】（ａ）、（ｂ）は、袋容器を袋容器ホルダーに装着する操作を説明する斜視図である。
【図６】他の形態の袋容器ホルダーを例示する斜視図である。
【発明を実施するための形態】
【００１０】
図１及び図２に示す本発明の好ましい一実施形態に係る袋容器ホルダー１０は、袋容器２０として、例えば内容液を収容する袋本体２１の上端部に、ポンプディスペンサー３０が吐出具として取り付けられたポンプディスペンサー付きの袋容器を、一体として装着させた状態で用いられる。本実施形態の袋容器ホルダー１０は、袋容器２０のポンプディスペンサー３０の押圧操作部であるノズルヘッド３３を押し下げて、内容液を吐出させる際の、押し下げ力を支持するための支持部材として用いられる。また、本実施形態の袋容器ホルダー１０は、軟質の柔らかいシート材料を用いて形成された、袋容器２０の袋本体２１の形状を安定させたまま、袋容器２０を、当該袋容器ホルダー１０に容易に且つスムーズに装着できるようにする機能を備えている（図５（ａ）、（ｂ）参照）。
【００１１】
そして、本実施形態の袋容器ホルダー１０は、上端部に注出口部材２２が取り付けられた袋容器２０と組み合わせて用いる袋容器用のホルダーであって、図１及び図２に示すように、載置面に載置される載置部１１と、載置部１１の周縁部分から縦方向に立設して設けられた立設部１２と、立設部１２の上端部から載置部１１の直上部分に横方向に張り出して設けられた、袋容器２０の注出口部材２２が係止されるＵ字状切欠き部１４を備える張出し係止部１３とを含んで構成されている。載置部１１から張出し係止部１３のＵ字状切欠き部１４までの高さｈ1（図３（ａ）参照）が、袋容器２０の下端から注出口部材２２の口部係止部２３までの高さｈ2（図３（ｂ）参照）と同様の高さとなっていると共に、張出し係止部１３の下方領域における、Ｕ字状切欠き部１４の開放部１４ａ側の部分が、袋容器２０を着脱させる着脱空間部１５となっている。載置部１１における着脱空間部１５側の周縁部から立設して、下端部邪魔板部１６が設けられており、下端部邪魔板部１６の裏面側に、袋容器２０の下端部２０ａを装着させる下端部装着部１７が形成されている。
【００１２】
また、本実施形態では、載置部１１における、着脱空間部１５側の部分を除いた３方の周縁部から立設して、立設部１２が設けられており、下端部邪魔板部１６は、立設部１２の下端部分と環状に一体として連続して設けられており、これらの内側部分に下端部装着部１７が形成されている。
【００１３】
さらに、本実施形態では、載置面に載置される載置部１１は、３方の周縁部から立設する立設部１２の下端部と、当該立設部１２の下端部と環状に一体として連続する下端部邪魔板部１６の下端部とを、枠状に連続させた環状の脚部によって形成されている。これによって、載置部１１の底面は、開口面１１ａ（図２参照）となっている
【００１４】
本実施形態では、袋容器ホルダー１０は、例えばＰＰ（ポリプロピレン）、ＡＢＳ（アクリロニトリル・ブタジエン・スチレン共重合合成樹脂）、アクリル、ポリエステル、ＰＣＴ（ポリシクロへキシレン・ジメチレン・テレフタレート）、ＳＡＮ（スチレンアクリロニトリルコポリマー）等の合成樹脂からなる射出成形品であって、袋容器２０の下端部から注出口部材２２の口部係止部２３（上方の環状係止ツバ部２３ａの下面）までの高さｈ2と同様の高さｈ1を有する（図３（ａ）、（ｂ）参照）、中空の縦長形状を備えている。袋容器ホルダー１０は、上述のように、載置部１１と、立設部１２と、張出し係止部１３と、下端部邪魔板部１６を含んで構成されている。
【００１５】
載置部１１は、本実施形態では、上述のように、立設部１２の下端部と下端部邪魔板部１６の下端部とが、例えば半トラック円形状の枠状に連続していることで、環状の脚部として設けられており、開口面となっている当該載置部１１の内側部分による底面の、開口周縁部を構成している。本実施形態では、載置部１１を形成している立設部１２の下端部及び下端部邪魔板部１６の下端部から上方に一体として連続して、当該立設部１２及び当該下端部邪魔板部１６が延設して設けられている。
【００１６】
なお、載置部１１は、枠状に連続させた環状の脚部によって形成されている必要は必ずしもなく、後述する他の形態のように、載置面に対して面状に接触して載置される、板状の載置部１１’として形成することもできる（図６参照）。
【００１７】
立設部１２は、載置部１１と張出し係止部１３との間に介在して、張出し係止部１３が、載置部１１から、袋容器ホルダー１０に装着される袋容器２０の下端部から口部係止部２３までの高さｈ2と同様の高さｈ1に配置されるように、張出し係止部１３を支持する部分となっている。立設部１２は、半トラック円形状の載置部１１の円弧状部分から立設する、湾曲立設部１２ａと、湾曲立設部１２ａを挟んでこれの両側に配置された、一対の側部立設部１２ｂとを含んで形成されている。湾曲立設部１２ａと一対の側部立設部１２ｂとは、周面を滑らかに一体として連続させて設けられている。側部立設部１２ｂは、湾曲立設部１２ａとは反対側の側辺部が、湾曲立設部１２ａ側に凹状に湾曲する湾曲辺部１２ｃとなっている。これによって、張出し係止部１３の下方領域における、Ｕ字状切欠き部１４の開放部１４ａ側の部分に設けられた着脱空間部１５を、袋容器２０を着脱させ易い空間として設けることが可能になる。
【００１８】
張出し係止部１３は、立設部１２の湾曲立設部１２ａ及び一対の側部立設部１２ｂの上端部から一体として連続して、載置部１１の直上部分に横方向に張り出して設けられた部分となっており、載置部１１の形状に対応する、半トラック円形状の平面形状を備えている。張出し係止部１３には、半トラック円形状の平面形状における、弧状湾曲部とは反対側の直線状部の中央部分が、弧状湾曲部側にＵ字形状に切り欠かれていることによって、Ｕ字状切欠き部１４が形成されている。Ｕ字状切欠き部１４には、後述する袋容器２０の袋本体２１の天面部２４に取り付けられた注出口部材２２の、口部係止部２３が係止される。本実施形態では、Ｕ字状切欠き部１４の周縁部に沿って、張出し係止部１３の上面よりも上方に突出すると共に、下面よりも下方に突出する、上下面段差リブ２７が設けられている。
【００１９】
下端部邪魔板部１６は、湾曲立設部１２ａとは反対側の部分において、一対の側部立設部１２ｂの間の領域の下端部分に、載置部１１の周縁部から立設して設けられている。下端部邪魔板部１６は、袋容器ホルダー１０に装着される袋容器２０の下端部分の高さと同様の高さとして、例えば袋容器ホルダー１０の全体の高さｈ1の１／５〜１／１０程度の高さを備えるように設けられている。下端部邪魔板部１６は、一対の側部立設部１２ｂと、周面を滑らかに連続させて設けられていると共に、上端縁部が、下方に向けて凹状に湾曲する上端湾曲辺部１６ａとなっている。上端湾曲辺部１６ａは、これらの両側の端部において、側部立設部１２ｂの湾曲辺部１２ｃの下端部と滑らかに連続している。
【００２０】
下端部邪魔板部１６の裏面側には、当該下端部邪魔板部１６と、湾曲立設部１２ａの下端部分及び一対の側部立設部１２ｂの下端部分とによって４方を囲まれて、袋容器２０の下端部２０ａを装着させる下端部装着部１７が形成されている。上述のように、下端部邪魔板部１６の上端縁部が、下方に向けて凹状に湾曲する上端湾曲辺部１６ａとなっていることにより、袋容器ホルダー１０に袋容器２０を装着する際に、袋容器２０の下端部２０ａを、下端部装着部１７に、先行して装着させるように誘導させ易くなると共に、下端部装着部１７に袋容器２０の下端部２０ａを、さらに容易に先行して装着することが可能になる。
【００２１】
また、本実施形態では、袋容器２０は、注出口部材２２が取り付けられた上端部が、天面シート２４ａを用いて形成された袋本体２１の天面部２４となっており、後述するように、内容液が吐出されて行くのに伴って、例えば天面シート２４ａによる天面部２４に、側面部２５の側面シート２５ａの上端部の一部が密着した状態となることで（図４（ｂ）参照）、底面シート２６ａによる底面部２６が持ち上げられる。これによって、袋容器２０は、これの下端から注出口部材２２の口部係止部２３（上方の環状係止ツバ部２３ａの下面）までの高さｈ2’が、内容液が充填されている状態の高さｈ2（図４（ａ）参照）よりも、小さくなるようになっている。
【００２２】
これに対して、本実施形態では、空になった状態の袋容器２０の下端から注出口部材２２の口部係止部２３までの高さｈ2’よりも、下端部邪魔板部１６の上端（上端の最も低い位置）から張出し係止部１３のＵ字状切欠き部１４までの高さｈ3（図３（ａ）参照）の方が小さくなるように、下端部邪魔板部１６が設けられている。これによって、袋容器２０が空になっても、袋容器２０の下端が、下端部装着部１７の外側に外れないようにして、袋容器ホルダー１０の内側に袋容器２０を、より安定した状態で保持することが可能になると共に、袋容器２０が装着された袋容器ホルダー１０の全体の美観が損なわれるのを、効果的に回避することが可能になる。
【００２３】
本実施形態では、袋容器ホルダー１０と組み合わせて用いる袋容器２０は、図３（ｂ）及び図４（ａ）、（ｂ）にも示すように、軟質の柔らかいシート材料を用いて形成された袋本体２１と、袋容器２０の上端部に取り付けられた注出口部材２２とを含んで構成されている。袋容器２０の上端部は、袋本体２１の好ましくは天面シート２４ａによる天面部２４によって形成されている。また袋容器２０の上端部には、注出口部材２２を介して、好ましくはポンプディスペンサー３０が吐出具として取り付けられている。
【００２４】
袋本体２１は、例えば、ポリプロピレン樹脂、ポリエチレン樹脂といったポリオレフィン樹脂等からなる合成樹脂製のフィルム材シート、合成樹脂製のフィルムとアルミニウム等の金属との積層体からなるフィルム材シート、或いは合成樹脂製のフィルムにアルミニウム等の金属を蒸着したフィルム材シート等を、軟質の柔らかいシート材料として好ましく用いて形成されている。本実施形態では、公知の各種の方法によって、天面シート２４ａと側面シート２５ａと底面シート２６ａとを接合することによって、天面シート２４ａによる天面部２４と、側面シート２５ａによる側面部２５と、底面シート２６ａによる底面部２６とを含む、有底及び有天の縦長筒状の袋本体２１が形成されている。
【００２５】
なお、袋本体２１は、側面部を構成する正面シートの側部と背面シートの側部との間に２つ折りされた側面シートを挟み込むことによって形成される、ガセット形状等の袋本体であっても良い。また、袋本体２１は、天面シートや底面シートを含むものである必要は必ずしも無く、パウチ形状等の袋本体であっても良い。
【００２６】
袋本体２１の天面シート２４ａによる天面部２４に取り付けられた注出口部材２２は、例えばＰＥ（ポリエチレン）、ＰＰ（ポリプロピレン）等の合成樹脂からなる公知の射出成形品であって、例えば外周面に螺条が形成された円筒形状の注出口部２２ａと、注出口部２２ａの下端から外方に向かって平坦に延出するフランジ部（図示せず）とを有している。注出口部材２２は、注出口部２２ａを、袋本体２１の天面部２４に設けられた貫通孔（図示せず）に挿通させるとともに、天面部２４の下面にフランジ部の上面を接合することによって、袋本体２１に取り付けられている。また、注出口部２２ａの外周部分には、外側に円環状に張り出して、口部係止部２３を構成する環状係止ツバ部２３ａが、上下方向に間隔をおいて一対設けられている。これらの環状係止ツバ部２３ａの間の部分を、袋容器ホルダー１０の張出し係止部１３のＵ字状切欠き部１４の縁部に差し込むようにして、注出口部材２２の注出口部２２ａを、張出し係止部１３に係止させることにより、袋容器２０を、袋容器ホルダー１０に装着した状態で安定して保持できるようになっている。
【００２７】
なお、口部係止部２３は、注出口部材２２の注出口部２２ａの外周部分に直接設けられている必要は必ずしも無い。例えば、注出口部材２２の注出口部２２ａに装着される、後述するポンプディスペンサー３０の固定用キャップ部３１から円環状に張り出して、環状係止ツバ部を設けておき、注出口部２２ａに固定用キャップ部３１を装着することで、当該固定用キャップ部３１介して間接的に、注出口部材２２の注出口部２２ａに口部係止部２３を設けることもできる。
【００２８】
本実施形態では、袋容器２０の上端部に、ポンプディスペンサー３０が吐出具として取り付けられている。ポンプディスペンサー３０は、例えば、実開平６−３９７５２号公報に記載のポンプ式吐出容器に用いたものと同様の構成を備える公知のものを用いることができる。ポンプディスペンサー３０は、固定用キャップ部３１、ポンプハウジング（図示せず）、吸上げ筒部３２、ノズルヘッド３３等を備えている。固定用キャップ部３１は、内側面に螺条が形成された円筒状部分を有しており、外周面に螺条が形成された注出口部材２２の注出口部２２ａに螺着することによって、ポンプディスペンサー３０を、注出口部材２２を介して袋容器２０の上端部に取り付けることができるようになっている。
【００２９】
ポンプハウジングは、内部に設けられたポンプ室を拡縮するピストン（図示せず）、ポンプ室と連通可能な吐出通路を備えるステム（図示せず）、ボール弁（図示せず）等を備えており、ポンプハウジングから外部に突出するステムの端部には、ステムの吐出通路に連通するノズル部３３ａを備えたノズルヘッド（押圧操作部）３３が装着されている。ポンプディスペンサー３０による吐出機構では、ノズルヘッド３３を押し下げることにより、ステムが往動してピストンが下降すると、そのピストンによって圧縮されたポンプ室内の内容液が、ステム内の吐出通路を経てノズル部３３ａから吐出される。他方、内容液の吐出後に、バネ等の付勢力等によりステムが復動すると、袋本体２１に収容された内容液が、吸上げ筒部３２を介して、ポンプハウジング内の減圧されたポンプ室に吸い込まれる。このようなノズルヘッド３３への押圧操作を所定回数行うことによって、必要量の内容液を袋本体２１から吸い上げて、ノズル部３３ａから吐出させることが可能になる。
【００３０】
そして、上述の構成を備える袋容器ホルダー１０に、内容液が充填された状態の袋容器２０を装着するには、本実施形態の袋容器ホルダー１０よれば、張出し係止部１３の下方領域における着脱空間部１５の下端部分に、下端部邪魔板部１６が設けられているので、図５（ａ）、（ｂ）に示すように、使用者は、自然な動作として、好ましくは袋容器２０を把持し易い注出口部材２２が取り付けられた上端部分を把持した状態で、袋容器２０を斜めに傾けて、袋容器２０の下端部２０ａを、先行して下端部邪魔板部１６の裏側の下端部装着部１７に装着するように誘導されることになる。
【００３１】
袋容器２０の下端部２０ａを先行して下端部装着部１７に装着するように誘導されて、自然な動作として、当該下端部２０ａを先行して下端部装着部１７に装着したら、使用者は、さらに自然な動作として、装着した下端部２０ａを中心に、傾けた袋容器２０を起こすように回転させる（図５（ｂ）参照）。本実施形態では、袋容器ホルダー１０の載置部１１から張出し係止部１３のＵ字状切欠き部１４までの高さｈ1が、袋容器２０の下端から注出口部材２２の口部係止部２３までの高さｈ2と同様の高さとなっているので、下端部装着部１７に下端部２０ａが先行して装着された袋容器２０を起こすように回転させることによって、袋容器２０の注出口部材２２の口部係止部２３は、袋容器ホルダー１０の張出し係止部１３のＵ字状切欠き部１４と同様の高さ位置に配置されるように案内されることになる。
【００３２】
これによって、口部係止部２３の一対の環状係止ツバ部２３ａの間の部分を、張出し係止部１３のＵ字状切欠き部１４の縁部に、自然な動作として差し込んで、張出し係止部１３に係止させる操作を、容易に且つスムーズに行なうことが可能になる。好ましくはＵ字状切欠き部１４の縁部に設けられた乗越え凸部（図示せず）を乗り越えるまで、口部係止部２３が設けられた注出口部材２２の注出口部２２ａを、張出し係止部１３のＵ字状切欠き部１４の奥まで押し込むことによって、好ましくはカチッというクリック感を伴って、張出し係止部１３に口部係止部２３を係止した状態を、安定して保持することが可能になる。またこれによって、張出し係止部１３の下方領域の着脱空間部１５及び下端部装着部１７に、袋本体２１の全体を装着させて、ポンプディスペンサー３０を備える袋容器２０が袋容器ホルダー１０に一体としてセットされた組合せ体を、容易に得ることが可能になる。
【００３３】
したがって、本実施形態の袋容器ホルダー１０によれば、張出し係止部の下方領域における着脱空間部の下端部分に下端部邪魔板部が設けられていないホルダーのように、使用者は、自然な動作として、軟質の柔らかい袋容器２０の袋本体２１の中央部分を把持しながら、袋本体２１を着脱空間部に押し込むと共に、注出口部材２２の口部係止部２３を張出し係止部のＵ字状切欠き部に係止させて、袋容器２０をホルダーにセットする場合のように、袋容器２０をホルダーに装着させる際の袋本体２１の形状が安定しなくなって、ホルダーに袋容器２０を装着する操作に手間が掛かったり、袋本体２１を変形させたままの状態でホルダーに装着させて、袋容器２０の美観を損なうことになったり、口部係止部２３を張出し係止部のＵ字状切欠き部にしっかりと係止できなくなって、ポンプディスペンサー３０の押圧操作時に袋容器２０がホルダーから外れ易くなったりするのを、効果的に回避することが可能になる。
【００３４】
すなわち、本実施形態の袋容器ホルダー１０によれば、軟質の柔らかいシート材料を用いて形成された袋容器２０を、袋本体２１の形状を安定させたまま、注出口部材２２の口部係止部２３を張出し係止部１３のＵ字状切欠き部１４にスムーズに係止させるようにして、美観を損なわせることなく、容易に装着することが可能になる。
【００３５】
なお、本発明は上記実施形態に限定されることなく種々の変更が可能である。例えば、袋容器は、ポンプディスペンサー等の吐出具が取り付けられていて、容器ホルダーに押圧力等を支持されるものである必要は必ずしもなく、袋容器ホルダーを、把持等し易くするための部材として用いる袋容器であっても良い。また、袋容器ホルダーは、載置部における３方の周縁部から立設して立設部が設けられており、下端部邪魔板部は、立設部の下端部分と環状に一体として連続して設けられているものである必要は必ずしもない。例えば図６に示すように、板状の載置部１１’と、載置部１１’の周縁部分から縦方向に立設して設けられたロッド状の立設部１２’と、立設部１２’の上端部から載置部１１’の直上部分に横方向に張り出して設けられた、Ｕ字状切欠き部１４’を備える張出し係止部１３’とを含んで構成されており、張出し係止部１３’の下方領域における、Ｕ字状切欠き部１４’の開放部１４ａ’側の部分が着脱空間部１５’となっており、載置部１１’における着脱空間部１５’側の周縁部から立設して、下端部邪魔板部１６’が設けられており、下端部邪魔板部１６’の裏面側に、袋容器の下端部を装着させる下端部装着部１７’が形成されている袋容器ホルダー１０’であっても良い。
【符号の説明】
【００３６】
１０  袋容器ホルダー
１１，１１’  載置部
１１ａ  開口面
１２，１２’  立設部
１２ａ  湾曲立設部
１２ｂ  側部立設部
１２ｃ  湾曲辺部
１３，１３’  張出し係止部
１４，１４’  Ｕ字状切欠き部
１４ａ，１４ａ’  開放部
１５，１５’  着脱空間部
１６，１６’  下端部邪魔板部
１６ａ  上端湾曲辺部
１７，１７’  下端部装着部
２０  袋容器
２０ａ  下端部
２１  袋本体
２２  注出口部材
２２ａ  注出口部
２３  口部係止部
２３ａ  環状係止ツバ部
２４  天面部
２４ａ  天面シート
２５  側面部
２５ａ  側面シート
２６  底面部
２６ａ  底面シート
２７  上下面段差リブ
３０  ポンプディスペンサー
３１  固定用キャップ部
３２  吸上げ筒部
３３  ノズルヘッド
３３ａ  ノズル部
ｈ1   載置部から張出し係止部のＵ字状切欠き部までの高さ
ｈ2   袋容器の下端から注出口部材の口部係止部までの高さ
ｈ2’ 空になった状態の袋容器の下端から注出口部材の口部係止部までの高さ
ｈ3   下端部邪魔板部の上端から張出し係止部のＵ字状切欠き部までの高さ
【図１】
2018047928.tif 000003
【図２】
2018047928.tif 000004
【図３】
2018047928.tif 000005
【図４】
2018047928.tif 000006
【図５】
2018047928.tif 000007
【図６】
2018047928.tif 000008